【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
放電灯に駆動電流を供給する放電灯駆動部と、
前記放電灯駆動部を制御する制御部と、
前記放電灯の電極間電圧を検出する電圧検出部と、
を備え、
前記制御部は、
前記放電灯に直流電流と交流電流とを含む前記駆動電流を供給する第１制御および第２制御を実行する第１放電灯駆動と、
前記放電灯に直流電流と交流電流とを含む前記駆動電流を供給する第３制御および第４制御を実行する第２放電灯駆動と、
を実行可能であり、
前記制御部は、
前記第１放電灯駆動において、所定の設定タイミングにおいて前記電極間電圧が第１閾値電圧以下である場合、前記第１制御を実行し、前記所定の設定タイミングにおいて前記電極間電圧が前記第１閾値電圧よりも大きい場合、前記第２制御を実行し、
前記第２放電灯駆動において、所定の設定タイミングにおいて前記電極間電圧が前記第１閾値電圧よりも大きい第２閾値電圧以下である場合、前記第３制御を実行し、前記所定の設定タイミングにおいて前記電極間電圧が前記第２閾値電圧よりも大きい場合、前記第４制御を実行し、
前記第２制御における前記直流電流の割合は、前記第１制御における前記直流電流の割合よりも大きく、
前記第４制御における前記直流電流の割合は、前記第３制御における前記直流電流の割合よりも大きく、かつ、前記第２制御における前記直流電流の割合よりも大きく、
前記制御部は、前記第１放電灯駆動の前記第２制御において、前記電極間電圧が前記第１閾値電圧以上の第１移行電圧よりも大きく、かつ、前記第２制御の連続実行時間が第１移行時間以上である場合、前記第１放電灯駆動から前記第２放電灯駆動に移行することを特徴とする放電灯駆動装置。
【請求項２】
請求項１に記載の放電灯駆動装置であって、
前記第２制御において前記直流電流が供給される直流期間の合計長さは、前記第１制御において前記直流電流が供給される直流期間の合計長さよりも大きく、
前記第４制御において前記直流電流が供給される直流期間の合計長さは、前記第３制御において前記直流電流が供給される直流期間の合計長さよりも大きく、かつ、前記第２制御において前記直流電流が供給される直流期間の合計長さよりも大きい、放電灯駆動装置。
【請求項３】
請求項１または２に記載の放電灯駆動装置であって、
前記第１移行電圧は、前記第１閾値電圧よりも大きい、放電灯駆動装置。
【請求項４】
請求項１から３のいずれか一項に記載の放電灯駆動装置であって、
前記第１移行電圧は、前記第２閾値電圧よりも小さい、放電灯駆動装置。
【請求項５】
請求項１から４のいずれか一項に記載の放電灯駆動装置であって、
前記第３制御における前記直流電流の割合は、前記第１制御における前記直流電流の割合と略同等である、放電灯駆動装置。
【請求項６】
請求項１から５のいずれか一項に記載の放電灯駆動装置であって、
前記所定の設定タイミングは、所定時間ごとに設けられる、放電灯駆動装置。
【請求項７】
請求項１から６のいずれか一項に記載の放電灯駆動装置であって、
前記第１制御における前記交流電流および前記第３制御における前記交流電流は、それぞれ、第１周波数を有する第１交流電流と、前記第１周波数よりも低い第２周波数を有する第２交流電流と、を含み、
前記制御部は、
前記第１制御において、前記第１閾値電圧に基づいて、前記第１交流電流の割合と、前記第２交流電流の割合と、を調整し、
前記第３制御において、前記第２閾値電圧に基づいて、前記第１交流電流の割合と、前記第２交流電流の割合と、を調整する、放電灯駆動装置。
【請求項８】
請求項７に記載の放電灯駆動装置であって、
前記制御部は、
前記第１制御において、前記第１閾値電圧が所定値以下である場合、前記第２交流電流の割合を前記第１交流電流の割合よりも大きくし、前記第１閾値電圧が所定値よりも大きい場合、前記第１交流電流の割合を前記第２交流電流の割合よりも大きくし、
前記第３制御において、前記第２閾値電圧が所定値以下である場合、前記第２交流電流の割合を前記第１交流電流の割合よりも大きくし、前記第２閾値電圧が所定値よりも大きい場合、前記第１交流電流の割合を前記第２交流電流の割合よりも大きくする、放電灯駆動装置。
【請求項９】
請求項１から８のいずれか一項に記載の放電灯駆動装置であって、
前記制御部は、前記放電灯に直流電流と交流電流とを含む前記駆動電流を供給する第５制御および第６制御を実行する第３放電灯駆動を実行可能であり、
前記制御部は、
前記第３放電灯駆動において、所定の設定タイミングにおいて前記電極間電圧が前記第２閾値電圧よりも大きい第３閾値電圧以下である場合、前記第５制御を実行し、前記所定の設定タイミングにおいて前記電極間電圧が前記第３閾値電圧よりも大きい場合、前記第６制御を実行し、
前記第６制御における前記直流電流の割合は、前記第５制御における前記直流電流の割合よりも大きく、かつ、前記第４制御における前記直流電流の割合よりも大きく、
前記制御部は、前記第２放電灯駆動の前記第４制御において、前記電極間電圧が前記第３閾値電圧以上の第２移行電圧よりも大きく、かつ、前記第４制御の連続実行時間が第２移行時間以上である場合、前記第２放電灯駆動から前記第３放電灯駆動に移行する、放電灯駆動装置。
【請求項１０】
請求項９に記載の放電灯駆動装置であって、
前記第６制御において前記直流電流が供給される直流期間の合計長さは、前記第５制御において前記直流電流が供給される直流期間の合計長さよりも大きく、かつ、前記第４制御において前記直流電流が供給される直流期間の合計長さよりも大きい、放電灯駆動装置。
【請求項１１】
光を射出する前記放電灯と、
請求項１から１０のいずれか一項に記載の放電灯駆動装置と、
を備えることを特徴とする光源装置。
【請求項１２】
請求項１１に記載の光源装置と、
前記光源装置から射出される光を映像信号に応じて変調する光変調素子と、
前記光変調素子により変調された光を投射する投射光学系と、
を備えることを特徴とするプロジェクター。
【請求項１３】
放電灯に駆動電流を供給して、前記放電灯を駆動する放電灯駆動方法であって、
前記放電灯の電極間電圧を検出するステップと、
前記放電灯に直流電流と交流電流とを含む前記駆動電流を供給する第１制御および第２制御を実行する第１放電灯駆動を実行するステップと、
前記放電灯に直流電流と交流電流とを含む前記駆動電流を供給する第３制御および第４制御を実行する第２放電灯駆動を実行するステップと、
を含み、
前記第１放電灯駆動においては、所定の設定タイミングにおいて前記電極間電圧が第１閾値電圧以下である場合、前記第１制御を実行し、前記所定の設定タイミングにおいて前記電極間電圧が前記第１閾値電圧よりも大きい場合、前記第２制御を実行し、
前記第２放電灯駆動においては、所定の設定タイミングにおいて前記電極間電圧が前記第１閾値電圧よりも大きい第２閾値電圧以下である場合、前記第３制御を実行し、前記所定の設定タイミングにおいて前記電極間電圧が前記第２閾値電圧よりも大きい場合、前記第４制御を実行し、
前記第２制御における前記直流電流の割合は、前記第１制御における前記直流電流の割合よりも大きく、
前記第４制御における前記直流電流の割合は、前記第３制御における前記直流電流の割合よりも大きく、かつ、前記第２制御における前記直流電流の割合よりも大きく、
前記第１放電灯駆動の前記第２制御において、前記電極間電圧が前記第１閾値電圧以上の第１移行電圧よりも大きく、かつ、前記第２制御の連続実行時間が第１移行時間以上である場合、前記第１放電灯駆動から前記第２放電灯駆動に移行することを特徴とする放電灯駆動方法。
【手続補正２】
【補正対象書類名】明細書
【補正対象項目名】０１４８
【補正方法】変更
【補正の内容】
【０１４８】
例えば、複数の周波数の交流電流と直流電流とを組み合わせた駆動電流を放電灯９０に供給する場合、初期の段階では、突起５５２ｐが形成される。しかし、長時間の使用により放電灯９０が劣化するのに伴って、徐々に突起５５２ｐが形成されにくくなり、安定した電極形状が維持できなくなる場合がある。